(57)【要約】【課題】  寿命、安全性、及び座り心地を向上することができるとともに、背もたれを角度を仰向け可能な角度まで調整することが可能な折畳み椅子の背もたれ調整機構を提供することを目的としている。【解決手段】  扶手調整ロッド２１の中間部には、調整用滑動体２１４が外嵌されるとともに、上方背もたれロッド２３の端部には、下方背もたれロッド２４を相対運動可能に嵌入可能な包筒体２３１が連結されており、下方背もたれロッド２４の中間部には、牽引ロッド２２を介して調整用滑動体２１４と連結するための連結体２４１が外嵌されるとともに、下方部には、外方交差ロッド２５と連結するための方形体２４３が連結されており、外方交差ロッド２５は、その矩形部の外側に設けられた二つの凸部２５１が滑動体２５２と係合するようにされていることを特徴としている。【選択図】  図６
0003107102.tif 000002
【実用新案登録請求の範囲】
【請求項１】
扶手調整ロッド、牽引ロッド、上方背もたれロッド、下方背もたれロッド、及び外方交差ロッドを備えており、
前記扶手調整ロッドの中間部には、調整用滑動体が外嵌されるとともに、側方部には、長手方向に沿って対向する位置に二つの溝状孔が形成され、下方部には定位孔が複数形成されており、
前記調整用滑動体の下方部には、前方部に調整ボタン及び後方部に二つの凸状体が設けられており、
前記牽引ロッドの上端部および下端部には、夫々凸状体が一つずつ設けられており、
前記上方背もたれロッドの端部には、前記下方背もたれロッドを相対運動可能に嵌入可能な包筒体が連結されており、
前記下方背もたれロッドの中間部には、前記牽引ロッドを介して前記調整用滑動体と連結するための連結体が外嵌されるとともに、下方部には、前記外方交差ロッドと連結するための方形体が連結されており、
前記外方交差ロッドは、一面に矩形状に形成された矩形部が構成されており、この矩形部の外側に設けられた二つの凸部が滑動体と係合するようにされていることを特徴とする折畳み椅子の背もたれ調整機構。
【請求項２】
包筒体の周壁部には、短丸ロッドが立設されており、
該短丸ロッドには、内方交差ロッドが接続されており、
調整用滑動体に構成される二つの凸状体には、牽引ロッドの上端部に設けられた凸状体が連結されており、
前記牽引ロッドの下端部に設けられた凸状体には、下方背もたれロッドに外嵌される連結体の二つの凸状体が連結されており、
前記下方背もたれロッドの下方部に設けられた方形体には、外方交差ロッドに係合される滑動体が連結されていることを特徴とする請求項１記載の折畳み椅子の背もたれ調整機構。
【考案の詳細な説明】
【技術分野】
【０００１】
本考案は、折畳み椅子に設けられる機構に関し、特に、背もたれの角度を調整可能を機構、背もたれ調整機構を有するものである。
【背景技術】
【０００２】
近年、休暇時における屋外活動（キャンピング等）が、盛んである。現在一般的に市販されている折畳み椅子には、通常折り畳み機構が設けられており、このため、使用する人にとっては、休暇時における屋外活動の際、持ち運びに便利である。また、皆座る姿勢が違うため、椅子の背もたれの角度を調整可能とすることは、とても大事なことである。
【０００３】
図１から図３に、現在一般的に市販されている折畳み椅子（１）を示す。この折畳み椅子（１）に設けられる背もたれ調整機構は、扶手（肘掛け）（１１）、前方支持ロッド（１２）、後方支持ロッド（１３）、背方ロッド（１４）、及び、外方交差ロッド（１５）によって構成されている。このうち、扶手（１１）には、前方支持ロッド（１２）の上端部（１２１）と後方支持ロッド（１３）の上端部（１３１）とを連結させる連結体（１１１）が係止されており、扶手（１１）の末端部（１１２）は、背もたれロッド（１４）に接続されている。また、前方支持ロッド（１２）の末端部（１２２）は、リベット（１２３）で外方交差ロッド（１５）の上部（２／５ぐらいの位置）に接続されている。後方支持ロッド（１３）の末端部（１３２）は、後足ロッド（１６）の連結体（１６１）と連結されている。そして、背もたれロッド（１４）は途中で曲げ加工されており、中央部付近で、後足ロッド（１６）の上端に設けられた固定物（１６２）と連結されている。そして、背もたれロッド（１４）の末端部（１４１）は、一つの滑動（摺動とも言い換えれる）体（１５２）と接続されており、この滑動体（１５２）は、外方交差ロッド（１５）に外嵌されている。
【０００４】
次に、図３を参照して、背もたれロッド（１４）の角度の調整について説明する。まず、扶手（１１）を上げて、そして、扶手（１１）を前方に引いたり後方に押したりして、連結体（１１１）を扶手（１１）の下方に形成された溝状孔（１１３）の何れかに嵌合させる。この時、後方支持ロッド（１３）の末端部の連結体（１６１）は上下動し、背もたれロッド（１４）は扶手（１１）が牽引するから、背もたれの角度が適当に調整される。この際、背もたれロッド（１４）の末端部（１４１）の滑動体（１５２）は、背もたれロッド（１４）の角度の調整に伴い、外方交差ロッド（１５）の上方に摺動する。
【０００５】
そして、上述の折畳み椅子（１）によれば、図４及び図５に示すように、折畳み時においては、二つの後足ロッド（１６）は互いに並んで、そして、毎本の支えは中央に動かして、一束になって、片付けたり、持ち運んだりすることが便利となる。
【考案の開示】
【考案が解決しようとする課題】
【０００６】
しかしながら、従来技術の折畳み椅子（１）には、下記の欠点がある。
【０００７】
図１に示すように、二本の背もたれロッド（１４）自体は、何れも固定されていない。このため、各背もたれロッド（１４）の末端部には滑動体（１５２）が接続されているが、滑動体（１５２）に設けられた隙間（１５３）は、背もたれロッド（１４）の断面積より大きいため、その遊びの分、背もたれロッド（１４）が動きやすい。よって、長時間使用すると、経年劣化により、動き量も大きくなり、損壊のおそれがあった。
【０００８】
また、滑動体（１５２）の動きは、外方交差ロッド（１５）の交差部（外方交差ロッド（１５）と内方交差ロッド（１５ａ）との交差部）より上方に移動できないから、背もたれを調整可能な角度に限界があって、仰向け可能な角度（地面と水平になる角度）まで調整できない。
【０００９】
そこで、案出されたのが本考案であって、本考案は、寿命、安全性、及び座り心地を向上することができるとともに、背もたれを角度を仰向け可能な角度まで調整することが可能な折畳み椅子の背もたれ調整機構を提供することを目的としている。
【課題を解決するための手段】
【００１０】
かかる目的を達成するために、請求項１記載の折畳み椅子の背もたれ調整機構は、扶手調整ロッド、牽引ロッド、上方背もたれロッド、下方背もたれロッド、及び外方交差ロッドを備えており、前記扶手調整ロッドの中間部には、調整用滑動体が外嵌されるとともに、側方部には、長手方向に沿って対向する位置に二つの溝状孔が形成され、下方部には定位孔が複数形成されており、前記調整用滑動体の下方部には、前方部に調整ボタン及び後方部に二つの凸状体が設けられており、前記牽引ロッドの上端部および下端部には、夫々凸状体が一つずつ設けられており、前記上方背もたれロッドの端部には、前記下方背もたれロッドを相対運動可能に嵌入可能な包筒体が連結されており、前記下方背もたれロッドの中間部には、前記牽引ロッドを介して前記調整用滑動体と連結するための連結体が外嵌されるとともに、下方部には、前記外方交差ロッドと連結するための方形体が連結されており、前記外方交差ロッドは、一面に矩形状に形成された矩形部が構成されており、この矩形部の外側に設けられた二つの凸部が滑動体と係合するようにされていることを特徴としている。
【００１１】
請求項２記載の折畳み椅子の背もたれ調整機構は、請求項１記載の折畳み椅子の背もたれ調整機構において、包筒体の周壁部には、短丸ロッドが立設されており、該短丸ロッドには、内方交差ロッドが接続されており、調整用滑動体に構成される二つの凸状体には、牽引ロッドの上端部に設けられた凸状体が連結されており、前記牽引ロッドの下端部に設けられた凸状体には、下方背もたれロッドに外嵌される連結体の二つの凸状体が連結されており、前記下方背もたれロッドの下方部に設けられた方形体には、外方交差ロッドに係合される滑動体が連結されていることを特徴としている。
【考案の効果】
【００１２】
実用新案登録請求の範囲に記載の折畳み椅子の背もたれ調整機構によれば、滑動体が外方交差ロッドに沿って滑動する際、下方背もたれロッドを揺動しないため、長寿命化を実現することができるとともに、安全性を向上することができ、更には、座り心地を向上することもできる。
【００１３】
また、滑動体が滑動する際、二つの交差ロッドの交差部で滑動量が制限されないから、背もたれを調整できる角度を大きくすることができ、実用性に優れている。
【考案を実施するための最良の実施の形態】
【００１４】
以下、添付図面を参照して、本考案の好適な実施の形態の例（実施例）について説明する。勿論、本考案の技術的範囲は、下記実施例そのものに何ら限定されるものではない。
【００１５】
図６及び図７は、本考案の背もたれ調整機構を有する折畳み椅子（２）を示す図である。図６及び図７を参照すれば、本考案の背もたれ調整機構は、扶手調整ロッド（２１）、牽引ロッド（２２）、上方背もたれロッド（２３）、下方背もたれロッド（２４）、及び、外方交差ロッド（２５）によって構成されている。
【００１６】
図８及び図９は、扶手調整調整ロッド（２１）を示す図である。扶手調整ロッド（２１）は、中空丸管（２１１）によって構成されており、この側方部には長手方向に沿って対向する位置に二つの溝状孔（２１２）が形成されており、下方部には定位孔（２１３）が複数形成されている。換言すれば、中空丸管状に形成された扶手調整ロッド（２１）に、溝状孔（２１２）、及び定位孔（２１３）が形成されている。
【００１７】
中空丸管（２１１）は、調整用滑動体（２１４）が嵌入されており、この調整用滑動体（２１４）の下方部には、調整ボタン（２１５）及び二つの凸状体（２１６）が設けられている。ここで、調整ボタン（２１５）は、凸状体２１６の前方部に設けられている。
【００１８】
牽引ロッド（２２）は、中空丸管状に構成され、この牽引ロッド（２２）の上端部および下端部に夫々凸状体（２２１）、（２２２）が一つずつ配設されている。
【００１９】
また、図１０に示すように、上方背もたれロッド（２３）は、中空丸管状に構成され、包筒体（２３１）と連結固定されている。この包筒体（２３１）の周壁部には、丸孔（２３２）が形成されるとともに、短丸ロッド（２３３）が立設されている。中空短ロッド（２３３）は、凸状体（２３４）と釘（２３５）で内方交差ロッド（２５ａ）と連結されている。下方背もたれロッド（２４）は、中空丸管状に構成され、その上の先端が包筒体（２３１）に嵌入されており、包筒体（２３１）と相対運動するようにされている。下方背もたれロッド（２４）に中央部付近には、連結体（２４１）が設けられており、連結体（２４１）には、二つの凸状体（２４２）が設けられている。下方背もたれロッド（２４）の下方部には、方形体（２４３）が設けられている。外方交差ロッド（２５）は、一つの先端の表面が矩形に形成されており、矩形状の周壁部に二つの凸部（２５１）が設けられており、この二つの凸部（２５１）は滑動体（２５２）が係合されている。
【００２０】
図７、図１０及び図１１に示すように、扶手調整棒（２１）の調整用滑動体（２１４）の二つの凸状体（２１６）には、牽引ロッド（２２）の上端部に設けられた凸状体（２２１）が連結している。また、牽引ロッド（２２）の下端部に設けられた凸状体（２２２）には、下方背もたれロッド（２４）に外嵌された連結体（２４１）の二つの凸状体（２４２）が連結されている。下方背もたれロッド（２４）の下端部に設けられた方形体（２４３）には、一つの短ロッド（２４４）で外方交差ロッド（２５）の滑動体（２５２）が連結されている。
（使用方式）
次に、図１２から図１５を参照して、本考案の背もたれ調整機構を有する折畳み椅子（２）の使用方法について説明する。
【００２１】
まず、図１２を参照する。椅子の背もたれの角度を大きくしたい場合、調整ボタン（２１５）を押して、調整用滑動体（２１４）を前方に動かし、調整ボタン（２１５）が固定孔（２１３）と合う位置で係止させる。牽引ロッド（２２）の上は調整用滑動体（２１４）と一緒に前に動いて、そして、下方背もたれロッド（２４）も時計の針の動き方と同じ上がって、下方背もたれロッド（２４）の下の方形体（２４３）が外方交差ロッド（２５）の滑動体（２５２）に動かさせて、斜方向へ上昇する。
【００２２】
次に、図１１を参照する。滑動体（２５２）は、外方交差ロッド（２５）と係合しており、滑動体（２５２）が移動する際、二つの交差ロッドの交差部（２５３）で止まらない。また、その際、下方背もたれロッド（２４）の上部は包筒体（２３１）の中を下向きに滑り、下方背もたれロッド（２４）は長くなる。
【００２３】
次に、図１３から図１５を参照する。前方足ロッド（２６）と後方足ロッド（２７）を中央に集めるとともに、扶手調整ロッド（２１）と前方足ロッド（２６）と分離して、各ロッドを中央へ集めることにより、一束にすることができ、持運び、及び収納が便利となる。
【００２４】
以上の記載に基づけば、本考案の『折畳み椅子の背もたれ調整機構』は、次の長所を有する。
【００２５】
図１及び図６に示すように、本考案である折畳み椅子（２）の背もたれ調整機構によれば、滑動体（２５２）が外方交差ロッド（２５）に沿って滑動する際、下方背もたれロッド（２４）を揺動しないため、安全性及び寿命性を向上することができるとともに、いい座り心地を提供することができる。
【００２６】
また、図１６に示すように、滑動体（２５２）が滑動する際、二つの交差ロッドの交差部（２５３）で滑動量が制限されないから、背もたれを調整できる角度を大きくすることができ、実用性に優れている。
【００２７】
以上、実施例に基づき本考案を説明したが、上記実施例は、本考案の趣旨を逸脱しない範囲内で種々の改良変形が可能であることはいうまでもなく、本考案の技術的範囲には、これらの改良変形も含まれる。
【図面の簡単な説明】
【００２８】
【図１】従来技術の背もたれ調整機構を有する折畳み椅子の立体図（上方斜視図）である。
【図２】上記折畳み椅子（従来技術）の側面図である。
【図３】上記折畳み椅子（従来技術）を構成する扶手部付近を示す図である。
【図４】上記折畳み椅子（従来技術）の後方足ロッドの折畳み（収合）動作を示す図である。
【図５】上記（従来技術）折畳み椅子を一束に折畳んだ（収合した）状態を示す図である。
【図６】本考案の背もたれ調整機構を有する折畳み椅子の立体図である。
【図７】上記折畳み椅子（本考案）の側面図である。
【図８】上記折畳み椅子（本考案）を構成する扶手調整ロッドの断面図である。
【図９】上記折畳み椅子（本考案）を構成する扶手調整ロッドの下面図である。
【図１０】上記折畳み椅子（本考案）を構成する包筒体と連結体との相対関係図である。
【図１１】上記折畳み椅子（本考案）を構成する滑動体と連結体との相対関係図である。
【図１２】上記折畳み椅子（本考案）の背もたれ調整の動作を示す図である。
【図１３】上記折畳み椅子（本考案）を構成する前方足ロッドの折畳み（収合）動作を示す図である。
【図１４】上記折畳み椅子（本考案）を構成する後方足ロッドの折畳み（収合）動作を示す図である。
【図１５】上記折畳み椅子（本考案）を一束に折畳んだ（収合した）状態を示す図である。
【図１６】上記折畳み椅子（本考案）の背もたれ調整の動作を示す図である。
【符号の説明】
【００２９】
２      折畳み椅子
２１    扶手調整ロッド
２１１  中空丸管
２１２  溝状孔
２１３  定位孔
２１４  調整用滑動体
２１５  調整ボタン
２１６  凸状体
２２    牽引ロッド
２２１  凸状体
２２２  凸状体
２３    上方背もたれロッド
２３１  包筒体
２３２  丸孔
２３３  短丸ロッド
２３４  凸状体
２３５  リベット
２４    下方背もたれロッド
２４１  連結体
２４２  凸状体
２４３  方形体
２４４  短ロッド
２５    外方交差ロッド
２５１  凸部
２５２  滑動体
２５３  交差部
２６    前方足ロッド
２７    後方足ロッド
【図１】
0003107102.tif 000003
【図２】
0003107102.tif 000004
【図３】
0003107102.tif 000005
【図４】
0003107102.tif 000006
【図５】
0003107102.tif 000007
【図６】
0003107102.tif 000008
【図７】
0003107102.tif 000009
【図８】
0003107102.tif 000010
【図９】
0003107102.tif 000011
【図１０】
0003107102.tif 000012
【図１１】
0003107102.tif 000013
【図１２】
0003107102.tif 000014
【図１３】
0003107102.tif 000015
【図１４】
0003107102.tif 000016
【図１５】
0003107102.tif 000017
【図１６】
0003107102.tif 000018